(57)【要約】【課題】直感的な操作方法でユーザの要求する精度の入力画像のホワイトバランスの調整を行うことができる画像表示装置を提供する。【解決手段】制御手段９は、画像表示手段３に画像処理手段４で処理した画像を表示させつつ、赤、緑、青それぞれを示す輝度レベルを補正する補正データのテーブルであるＬＵＴ４５Ｒ、４５Ｇ、４５Ｂを表示し、ユーザが調整した１又は２以上の調整点Ｐ１、Ｐ２に基づいて、補正データの再計算を行うとともに、補正データを書き換えることを特徴とする画像表示装置Ａ。【選択図】図５
2014222841.tif 000002
【特許請求の範囲】
【請求項１】
入力された画像データのホワイトバランスを調整して出力する画像処理手段と、
前記画像処理手段より出力された画像データを表示する画像表示手段と、
前記画像処理手段に備えられ、入力された画像データの赤、緑、青の各色を示す輝度レベルごとに補正する補正データのテーブルであるＬＵＴを記憶する記憶手段と、
制御手段とを有する画像表示装置であって、
前記画像処理手段は、前記入力された画像データの赤、緑、青の各色の輝度レベルを示す入力値を、前記ＬＵＴの補正データに基づいて補正し、前記画像表示手段に対して出力し、
前記制御手段は、前記画像表示手段に前記画像処理手段で処理した画像を表示させつつ、赤、緑、青それぞれを示す輝度レベルを補正する補正データのテーブルであるＬＵＴを表示し、ユーザが調整した１又は２以上の調整点に基づいて、前記補正データの再計算を行うとともに、前記補正データを書き換えることを特徴とする画像表示装置。
【請求項２】
前記制御手段は、前記ＬＵＴの調整点の数を任意に変更できる請求項１に記載の画像表示装置。
【請求項３】
前記ＬＵＴの補正データの再計算を行うときの計算方法として複数個のモードを備えており、
前記制御手段は、前記複数のモードのうちユーザが選択したモードに基づいて前記補正データの再計算を行う請求項１又は請求項２に記載の画像表示装置。
【請求項４】
前記制御手段は、前記ＬＵＴの補正データの再計算を行うとき、前記ＬＵＴの補正データの入力値の採り得る範囲の最小となる点又は最大となる点の少なくとも一方を調整可能としている請求項１から請求項３のいずれかに記載の画像表示装置。
【請求項５】
前記制御手段は、前記補正データの再計算を行うとき外部から供給される画像データを前記画像表示手段で表示する請求項１から請求項４のいずれかに記載の画像表示装置。
【請求項６】
前記制御手段は、前記補正データの再計算を行うとき、調整用として予め備えられている画像データを前記画像表示手段で表示する請求項１から請求項４のいずれかに記載の画像表示装置。
【発明の詳細な説明】
【技術分野】
【０００１】
本発明は、カラー画像を表示する画像表示装置に関するものであり、詳しくは、色バランスを調整する調整機能を有する画像表示装置に関するものである。
【背景技術】
【０００２】
画像表示装置は、外部機器や放送波等からの画像信号（入力信号）に基づいて、液晶パネル等の表示パネルに表示する。前記画像表示装置では、前記表示パネルの特性により、入力信号をそのまま表示した場合、前記表示パネルの特性によって、画像の表示特性がばらつく場合がある。
【０００３】
そこで、このような画像表示装置では、表示画像を所望の表示品質とするため、入力データの輝度の補正（ガンマ補正）及び色度の調整（ホワイトバランス調整）を行う補正手段（回路）を備えていることがほとんどである。このような、補正方法として、入力信号に対し、ＬＵＴ（Ｌｏｏｋ  Ｕｐ  Ｔａｂｌｅ）を用いて、その階調値を変換し所望の出力値を得る補正方法が用いられている（例えば、特許文献１参照）。このような入力信号の補正を行うことで、表示画像を基準の表示品質の画像を表示することや、ユーザの好みに合わせた輝度の画像を形成することが可能である。
【０００４】
特許文献１では、ユーザが任意の最大入力値と最小入力値及び任意の調整値を設定し、各値に基づいて、ガンマ補正を行う曲線（ガンマカーブ）を得るための変換データをＬＵＴに記録し、そのＬＵＴを用いてガンマ補正を行っている。このようなガンマ補正方法を用いることで、広い入力階調で輝度レベルを適正に調整することができる。
【先行技術文献】
【特許文献】
【０００５】
【特許文献１】特許第４８２９９０５号公報
【発明の概要】
【発明が解決しようとする課題】
【０００６】
しかしながら、特許文献１のガンマ補正では変換データを決定するため、調整範囲の最大入力階調値を取る最大点と、最小入力階調値を取る最小点と、前記最大点と前記最小点との間の任意の調整点の３点の設定が必要であり、ガンマ補正に手間と時間がかかる。また、このガンマ補正の変換データの設定値の決定方法を、ホワイトバランスの調整に用いることも可能であるが、入力信号のＲＧＢ各データに対して、変換データの決定が必要であり、さらに手間と時間がかかり、ユーザの利便性がわるい。
【０００７】
この発明は、上記のような課題を解決するためになされたものであり、直感的な操作方法でユーザの要求する精度の入力画像のホワイトバランスの調整を行うことができる画像表示装置を提供することである。
【課題を解決するための手段】
【０００８】
この発明の一の局面による画像表示装置は、入力された画像データのホワイトバランスを調整して出力する画像処理手段と、前記画像処理手段より出力された画像データを表示する画像表示手段と、前記画像処理手段に備えられ、入力された画像データの赤、緑、青の各色を示す輝度レベルごとに補正する補正データのテーブルであるＬＵＴを記憶する記憶手段と、制御手段とを有する画像表示装置であって、前記画像処理手段は、前記入力された画像データの赤、緑、青の各色の輝度レベルを示す入力値を、前記ＬＵＴの補正データに基づいて補正し、前記画像表示手段に対して出力し、前記制御手段は、前記画像表示手段に前記画像処理手段で処理した画像を表示させつつ、赤、緑、青それぞれを示す輝度レベルを補正する補正データのテーブルであるＬＵＴを表示し、ユーザが調整した１又は２以上の調整点に基づいて、前記補正データの再計算を行うとともに、前記補正データを書き換えることを特徴とする。
【０００９】
この発明の一局面による画像表示装置では、ユーザは赤、緑、青の輝度レベルの補正を行うための全てのＬＵＴと、そのＬＵＴで補正した画像を確認しながら補正データを再計算するので、再計算結果をすぐに確認することができる。このため、直感的な調整が可能であるとともに、ユーザの要求に高度に応じることができる。
【００１０】
上記一局面による画像表示装置において、好ましくは、前記制御手段が前記ＬＵＴの調整点の数を任意に変更できるように構成されている。このように構成にすれば、ユーザの要求に高度に応じることができるとともに、ユーザが必要とする最小限の調整点数とすることができるため、調整におけるユーザの利便性を高めることが可能である。
【００１１】
上記一局面による画像表示装置において、好ましくは、前記ＬＵＴの補正データの再計算を行うときの計算方法として複数個のモードを備えており、前記制御手段は、前記複数のモードのうちユーザが選択したモードに基づいて前記補正データの再計算を行うように構成されている。このように構成すれば、ユーザの要求するホワイトバランスの調整を行うための補正データの再計算を簡単に行うことができ、調整におけるユーザの利便性を高めることが可能である。
【００１２】
上記一局面による画像表示装置において、好ましくは、前記制御手段が、前記ＬＵＴの補正データの再計算を行うとき、前記ＬＵＴの補正データの入力値の採り得る範囲の最小となる点（最小点）又は最大となる点（最大点）の少なくとも一方を調整可能なように構成されている。このように構成すれば、ユーザによるホワイトバランスの調整範囲を広げることができ、調整におけるユーザの利便性を高めることが可能である。
【００１３】
上記一局面による画像表示装置において、好ましくは、前記制御手段が、前記補正データの再計算を行うとき外部から供給される画像データを前記画像表示手段で表示する。このように構成すれば、実際に視聴する画像を表示するため、ホワイトバランスの調整による画像の変化を直感的に理解しやすく、調整におけるユーザの利便性を高めることが可能である。
【００１４】
上記一局面による画像表示装置において、好ましくは、前記制御手段が、前記補正データの再計算を行うとき、調整用として予め備えられている画像データを前記画像表示手段で表示するように構成されている。このように構成すれば、外部から画像データが供給されていないときでも、ホワイトバランスの調整が可能であり、調整におけるユーザの利便性を高めることが可能である。
【発明の効果】
【００１５】
本発明によると、直感的な操作方法でユーザの要求する精度の入力画像のホワイトバランスの調整を行うことができる画像表示装置を提供することができる。
【図面の簡単な説明】
【００１６】
【図１】本発明にかかる画像表示装置の一例である液晶テレビの概略構成を示すブロック図である。
【図２】本発明にかかる画像表示装置に含まれる画像処理部の一例の電気的な接続を示すブロック図である。
【図３】ＬＵＴの補正データの再計算の方法を示す図である。
【図４】調整点を１〜３点としたとの赤色を示す輝度レベルを補正するＬＵＴの例を示す図である。
【図５】ホワイトバランスの調整を行う手順を示すフローチャートである。
【図６】画像の調整を行うときに表示される画像の一例を示す図である。
【図７】ホワイトバランスの調整するときの調整点数を決定するときの図である。
【図８】ホワイトバランスの調整を行うときの液晶パネルに表示される画像を示す図である。
【図９】本発明にかかる画像表示装置の画像データの処理に用いられるＬＵＴのさらに他の例を示す図である。
【図１０】本発明にかかる画像表示装置の画像データの処理に用いられるＬＵＴのさらに他の例を示す図である。
【図１１】本発明にかかる画像表示装置の画像データの処理に用いられるＬＵＴのさらに他の例を示す図である。
【図１２】ホワイトバランスの調整を行う手順を示すフローチャートである。
【図１３】本発明にかかる画像表示装置の画像データの処理に用いられるＬＵＴのさらに他の例を示す図である。
【図１４】ホワイトバランスの調整を行う手順を示すフローチャートである。
【発明を実施するための形態】
【００１７】
以下に本発明の実施形態について図面を参照して説明する。
（第１実施形態）
図１は本発明にかかる画像表示装置の一例である液晶テレビの概略構成を示すブロック図である。図１に示す液晶テレビＡは、地上放送波、衛星放送波（ＢＳ、ＣＳ）等の放送波を受信し、放送波に基づく画像データによる画像を表示し、音声データによる音声を出力する。また、液晶テレビＡには、ＤＶＤやＢＤ等の外部機器を接続することが可能となっており、これらの外部機器から画像データ及び音声データを受け取り、画像データによる画像を表示し、音声データによる音声を出力する。
【００１８】
また、液晶テレビＡは、表示画像を調整するための補正データのテーブルであるＬＵＴ（Ｌｏｏｋ  Ｕｐ  Ｔａｂｌｅ）を備えている。そして、液晶テレビＡでは、画像データによる画像をＬＵＴの補正データに基づいて補正した後、表示するようになっている。
【００１９】
図１に示すように、液晶テレビＡは、チューナ１、入力部２、液晶パネル３（画像表示手段）、画像処理部４（画像処理手段）、スピーカ５、音声処理部６、リモートコントローラ７、リモートコントローラ受信部８、制御部９（制御手段）及び記憶部１０を備えている。
【００２０】
チューナ１は、外部に配置され、放送波を受信するためのアンテナＡｎｔが接続されている。アンテナＡｎｔが受信した放送波（地上波、ＢＳ、ＣＳ）を復調し画像データ及び音声データを生成する。チューナ１は、制御部９に制御されている。
【００２１】
入力部２は、図示を省略したＤＶＤ、ＢＤ等の外部機器からの画像データ、音声データが入力される。チューナ１及び入力部２はそれぞれ画像データと音声データとを分離して取り扱うことが可能な構成となっており、画像データは画像処理部４に、音声データは音声処理部６にそれぞれ送信される。なお、入力部２は、上述の外部機器以外にも、ＬＵＴの補正データを調整するときの調整用画像データの供給装置（不図示）が接続される場合もある。
【００２２】
液晶パネル３は、バックライトユニット及び液晶ユニット（いずれも不図示）を含み、画像を表示するための表示部である。液晶ユニット３は、画素（サブセル）毎に透過する光の透過率を調整可能である。そして、液晶パネル３では、画像処理部４からの画像データに基づいて、画素の光透過率を適切に調整し、バックライトユニットからの光を透過させることで、表面に画像を表示する。
【００２３】
画像処理部４は、チューナ１又は入力部２から画像データを受け取る。そして、画像データに補正処理を施す装置である。なお、画像処理部４は、制御部９に制御されるものであり、詳細は、後述する。
【００２４】
音声処理部６は、チューナ１又は入力部２からの音声データが入力される。音声処理部６は音声データに対し、各種の処理を行い、処理後の音声データをスピーカ５に供給する。スピーカ５は音声処理部６から供給された音声データに基づいて音声を出力する。
【００２５】
リモートコントローラ７は、液晶テレビＡの遠隔操作用の操作装置である。リモートコントローラ７はユーザからの操作入力を受け付け、操作入力の情報を含む操作信号をリモートコントローラ受信部８に送信する。なお、リモートコントローラ７からリモートコントローラ受信部８への信号の送信には、赤外光等の光や電波等の無線手段が用いられる。
【００２６】
リモートコントローラ受信部８は、操作信号を受信すると、操作信号に基づいて制御部９で取り扱うことができる受信信号に変換し、制御部９に送信する。液晶テレビＡにおいて、制御部９は、チューナ１、画像処理部４、音声処理部６を制御している。また、これら以外の構成部材の制御も行う構成となっていてもよい。制御部９としては、例えば、演算処理を行うＣＰＵ等を備えた構成を挙げることができる。
【００２７】
また、制御部９は記憶部１０と接続している。記憶部１０は、揮発性及び（又は）不揮発性のメモリを含む構成である。記憶部１０には、制御部９が液晶テレビＡの動作を制御するためのプログラム、各種データ等を記憶しており、制御部９はこれらのプログラムや各種データに基づき、液晶テレビＡの各種動作を制御する。なお、液晶テレビＡでは、画像処理部４及び音声処理部６は独立した回路として設けられているものを示しているが、制御部９で動作するプログラムであってもよい。また、詳細は後述するが、記憶部１０には、画像データの補正に用いられるＬＵＴが収納されている。
【００２８】
次に、本発明にかかる液晶テレビの詳細について図面を参照して説明する。図２は本発明にかかる画像表示装置に含まれる画像処理部の一例の電気的な接続を示すブロック図である。画像処理部４は画像データにおける赤、緑、青の各色の輝度レベルに対して、補正処理を行う処理部（回路）であり、赤色の輝度レベルを示す入力値ＩｎR、緑色の輝度レベルを示す入力値ＩｎG、青色の輝度レベルを示す入力値ＩｎBが入力される。なお、以下の説明において、添え字のＲＧＢはそれぞれ、赤、緑、青のデータであることを示している。
【００２９】
図２に示すように、画像処理部４は赤、緑、青のそれぞれの入力値のゲイン調整を行うゲイン調整部４１Ｒ、４１Ｇ、４１Ｂと、入力値を補正する入力値補正部４２Ｒ、４２Ｇ、４２Ｂとを備えている。そして、画像処理部４では、入力値ＩｎRはゲイン調整部４１Ｒに、入力値ＩｎGはゲイン調整部４１Ｇに、入力値ＩｎBはゲイン調整部４１Ｂにそれぞれ入力される。
【００３０】
ゲイン調整部４１Ｒ、４１Ｇ、４１Ｂは、画像データにおける赤、緑、青の各色の輝度レベルを示す入力値ＩｎR、ＩｎG、ＩｎBにゲインを与えるものである。ゲイン調整部４１Ｒ、４１Ｇ、４１Ｂはそれぞれ、乗算回路４３Ｒ、４３Ｇ、４３Ｂとゲイン設定部４４Ｒ、４４Ｇ、４４Ｂとを備えている。
【００３１】
ゲイン調整部４１Ｒでは、乗算回路４３Ｒによって、赤色の輝度レベルを示す入力値ＩｎRとゲイン設定部４４Ｒに設定されているゲイン値とを乗算する。これにより、赤色の輝度レベルを示す入力値ＩｎRにゲインを与える。同様に、ゲイン調整部４１Ｇでは、乗算回路４３Ｇによって、緑色の輝度レベルを示す入力値ＩｎGとゲイン設定部４４Ｇに設定されているゲイン値とを乗算し、緑色の輝度レベルを示す入力値ＩｎGにゲインを与える。さらに、ゲイン調整部４１Ｂでは、乗算回路４３Ｂによって、青色の輝度レベルを示す入力値ＩｎBとゲイン設定部４４Ｂに設定されているゲイン値とを乗算し、青色の輝度レベルを示す入力値ＩｎＢにゲインを与える。ゲインが与えられた各色の輝度レベルを示す値Ｉｎ２R、Ｉｎ２G、Ｉｎ２Bとし、ゲイン設定部４４Ｒ、４４Ｇ、４４Ｂにより与えられる（ゲイン設定部４４Ｒ、４４Ｇ、４４Ｂに設定されている）ゲインの値をＧR、ＧG、ＧBとすると、次の通りとなる。
Ｉｎ２R＝ＧR×ＩｎR
Ｉｎ２G＝ＧG×ＩｎG
Ｉｎ２B＝ＧB×ＩｎB
【００３２】
入力値補正部４２Ｒ、４２Ｇ、４２Ｂは、液晶パネル３で表示する画像の色度（ホワイトバランス）を調整するためのもの（回路）である。入力値補正部４２Ｒ、４２Ｇ、４２Ｂはそれぞれ、ＬＵＴ４５Ｒ、４５Ｇ、４５Ｂを有している。
【００３３】
ＬＵＴ４５Ｒ、４５Ｇ、４５Ｂは、液晶パネル３で表示する画像の色バランスを補正するための補正データのテーブルである。ＬＵＴ４５Ｒ、４５Ｇ、４５Ｂの補正データは、赤、緑、青の各色の補正前の輝度レベルを示す補正前値と、補正して出力された補正後値との関係を示すデータである。すなわち、ＬＵＴ４５Ｒの補正データは、赤色の補正前の輝度レベルを示す補正前の値である補正前値ｘRと補正後の値である補正後値ｙRとの関係を示すデータである。ＬＵＴ４５Ｇの補正データは、緑色の補正前の輝度レベルを示す補正前の値である補正前値ｘGと補正後の値である補正後値ｙGとの関係を示すデータである。ＬＵＴ４５Ｂの補正データは、青色の補正前の輝度レベルを示す補正前の値である補正前値ｘBと補正後の値である補正後値ｙBとの関係を示すデータである。
【００３４】
図２に示すように、画像処理部４では、入力補正部４２Ｒ、４２Ｇ、４２Ｂはゲイン調整部４１Ｒ、４１Ｇ、４１Ｂでゲインが与えられた入力値Ｉｎ２R、Ｉｎ２G、Ｉｎ２BをＬＵＴ４５Ｒ、４５Ｇ、４５Ｂの補正データに基づいて補正する。つまり、入力値補正部４２ＲはＬＵＴ４５Ｒを参照し、入力値Ｉｎ２Rを補正前値ｘRとし、対応する補正後値ｙRを出力値ＯｕｔRとして出力する。同様に、入力値補正部４２ＧはＬＵＴ４５Ｇを参照し、入力値Ｉｎ２Gを補正前値ｘGとし、対応する補正後値ｙGを出力値ＯｕｔGとして出力する。入力値補正部４２ＢはＬＵＴ４５Ｂを参照し、入力値Ｉｎ２Bを補正前値ｘBとし、対応する補正後値ｙBを出力値ＯｕｔBとして出力する。
【００３５】
入力値補正部４２Ｒ、４２Ｇ、４２Ｂから出力された（補正された）出力値ＯｕｔR、ＯｕｔG、ＯｕｔBは、画像処理部４の出力であり、液晶パネル３に供給され、出力値ＯｕｔR、ＯｕｔG、ＯｕｔBによる画像が液晶パネル３に表示される。
【００３６】
このように画像処理部４では、画像データにおける赤、緑、青の各色の輝度レベルを示す入力値ＩｎR、ＩｎG、ＩｎBにゲイン調整部４１Ｒ、４１Ｇ、４１Ｂでゲインを与える。このゲインが与えられた入力値Ｉｎ２R、Ｉｎ２G、Ｉｎ２Bが入力値補正部４２Ｒ、４２Ｇ、４２ＢでＬＵＴ４５Ｒ、４５Ｇ、４５Ｂの補正データに基づいて補正し、出力値ＯｕｔR、ＯｕｔG、ＯｕｔBを液晶パネル３に供給する。これにより、液晶パネル３では、出力値ＯｕｔR、ＯｕｔG、ＯｕｔBによる画像が表示される。
【００３７】
液晶テレビＡにおいて、画像処理部４のＬＵＴ４５Ｒ、４５Ｇ、４５Ｂの補正データは、液晶パネル３ごとに表示される画像が所望の色度特性（ホワイトバランス特性）となるよう設定している。一方で、ユーザによっては、液晶パネル３に表示される画像のホワイトバランス特性を任意に変更することを望む場合がある。そこで、液晶テレビＡでは、ＬＵＴ４５Ｒ、４５Ｇ、４５Ｂをユーザの操作に合わせて再計算し、その再計算結果を用いて赤、緑、青の各色の輝度レベルを補正する。
【００３８】
補正前値をｘR、ｘG、ｘB、補正後値をｙR、ｙG、ｙBとすると、補正データを再計算する前のＬＵＴ４５Ｒ、４５Ｇ、４５Ｂで補正した補正後値は次の式で与えられる。
ｙR＝ＦR（ｘR）
ｙG＝ＦG（ｘG）
ｙB＝ＦB（ｘB）
そして、画像のホワイトバランスをユーザの要求に合わせて調整するために、補正データの再計算を行った後のＬＵＴ４５Ｒ、４５Ｇ、４５Ｂで補正した補正後値は次の式で与えられる。
ｙR＝ＧR（ｘR）
ｙG＝ＧG（ｘG）
ｙB＝ＧB（ｘB）
【００３９】
液晶テレビＡのホワイトバランスをユーザの要求に応じて調整（変更）可能な構成について図面を参照して説明する。図３はＬＵＴの補正データの再計算の方法を示す図である。図３は便宜上赤色を示す輝度レベルを補正するためのＬＵＴを示している。また、図３は第２調整点でのゲイン値が１以下又は１よりも大きい場合の２通りの補正データを示している。
【００４０】
補正前値の最小値ｘＭＩＮRと最大値ｘＭＡＸRの間に任意の２点の補正前値ｘ１R、ｘ２Rを設定し、そのときの補正後値ｙ１R、ｙ２Rをユーザが任意に設定することができるようになっている。このユーザが設定することができる点Ｐ１（ｘ１R、ｙ１R）、Ｐ２（ｘ２R、ｙ２R）を第１調整点Ｐ１、第２調整点Ｐ２とする。なお、図３において、補正前値ｘRは、ｘＭＩＮR（＝０）≦ｘ１R＜ｘ２R≦ｘＭＡＸR（＝１）となっている。また、補正後値ｙRの採り得る値の最小値、最大値をｙＭＩＮR、ｙＭＡＸRとすると、補正後値ｙRはｙＭＩＮR（＝０）≦ｙ１R＜ｙ２R≦ｙＭＡＸR（＝１）となっている。
【００４１】
本実施形態における、補正データの再計算は、第１調整点Ｐ１及び第２調整点での値の間を線形で補完している。そのため、補正後値ｙR＝ＧR（ｘR）は補正前値ｘRの範囲ごとに与えられる。
ｘＭＩＮR≦ｘR≦ｘ１Rのとき、
ｙR＝ＧR（ｘR）＝ＦR（Ｇａｉｎ１R×ｘR）・・・・（式１）
ｘ１R＜ｘR＜ｘ２Rのとき、
ｙR＝ＧR（ｘR）＝ＦR（ａ０R×ｘR＋ｂ０R）・・・・（式２）
ｘ２R≦ｘR≦ｘＭＡＸR、且つ、Ｇａｉｎ２R≦１のとき、
ｙR＝ＧR（ｘR）＝ＦR（Ｇａｉｎ２R×ｘR）・・・・（式３）
ｘ２R≦ｘR≦ｘＭＡＸR、且つ、Ｇａｉｎ２R＞１のとき、
ｙR＝ＧR（ｘR）＝ＦR（ａ１R×ｘR＋ｂ１R）・・・・（式４）
（ただし、
ａ０R＝（ｘ２１R−ｘ１１R）／（ｘ２R−ｘ１R）、
ｂ０R＝ｘ１１R−ｘ１R×（ｘ２１R−ｘ１１R）／（ｘ２R−ｘ１R）、
ａ１R＝（ｘ２ＭＡＸR−ｘ２１R）／（ｘＭＡＸR−ｘ２R）、
ｂ１R＝ｘ２１R−ｘ２R×（ｘ２ＭＡＸR−ｘ２１R）／（ｘＭＡＸR−ｘ２R）、
ｘ１１R＝Ｇａｉｎ１R×ｘ１R、
ｘ２１R＝Ｇａｉｎ２R×ｘ２R、
ｘ２ＭＡＸR＝ｘＭＡＸR
Ｇａｉｎ１R：調整点Ｐ１の色バランスが所定の色バランスとなるように与えられるゲイン値。
Ｇａｉｎ２R：調整点Ｐ２の色バランスが所定の色バランスとなるように与えられるゲイン値。）
【００４２】
そして、緑色及び青色のＬＵＴ４５Ｇ、４５Ｂについても同様に、補正データの修正を行うことが可能である。このような補正データを再計算したＬＵＴ４５Ｒ、４５Ｇ、４５Ｂを用いることで、液晶パネル３にユーザが指定した、ホワイトバランスの画像を表示することが可能となっている。
【００４３】
再計算の計算方法について詳しく説明する。ゲインＧａｉｎ２Rが１以下又は１よりも大きいかで、再計算の式を変えている。通常、入力値と出力値が同じである状態を図３に示すと破線に示すような比例の関係となる。図３には、調整点が破線よりも上の場合と下の場合とを示している。ｘRがｘＭＩＮRからｘ２Rまでの間は、調整点が破線よりも上又は下でも同じ補完の式、すなわち、上述した「式１」、「式２」を用いて補正データの再計算を行う。一方、第２調整点Ｐ２が破線よりも上側に配置されるとき、ゲインＧａｉｎ２Rが１よりも大きくなる。このとき、高階調側の輝度の飽和を防ぐため、補正データの再計算には、「式４」を採用する。
【００４４】
逆に破線よりも下側に配置されるとき、ゲインＧａｉｎ２Rが１以下となる。このとき、色度の急激な変化を避けるため、補正データの再計算には、「式３」を採用する。このような再計算した補正データを備えたＬＵＴを用いることで、高階調側を飽和させることなく、ホワイトバランスの調整を行うことがきる。なお、図３では、第１調整点Ｐ１、第２調整点Ｐ２が破線に対して同じ側（上側又は下側）にあるものを示しているが、異なる側に配置される場合もある。
【００４５】
図４は調整点を１〜３点としたとの赤色を示す輝度レベルを補正するＬＵＴの例を示す図である。上述の再計算の方法では、２点の調整点を変更し、補正データを再計算するものとしているが、調整点の数は２点に限定されるものではない。３点以上であってもよいし、１点であってもよい。１点の場合、「式１」と「式３」又は「式４」とを用いる。また、３点以上の場合、隣合う調整点の間の補完は「式２」で示す補完式で計算する。このように、調整点が増減した場合でも、補正データの再計算が可能である。
【００４６】
本発明にかかる液晶テレビＡのホワイトバランスの調整の手順について図面を参照して説明する。ユーザによる画像の表示特性の調整を行う場合の再計算の方法は上述した通りであるが、実際の液晶テレビＡでは、画面の表示を見ながらどのように変化したか確認することが好ましい。そのため、液晶テレビＡでは、液晶パネル３に画像を表示しながらＯＳＤ表示でＬＵＴ４５Ｒ、４５Ｇ、４５Ｂを表示して行う。
【００４７】
図５はホワイトバランスの調整を行う手順を示すフローチャートであり、図６は画像の調整を行うときに表示される画像の一例を示す図であり、図７はホワイトバランスの調整するときの調整点数を決定するときの図であり、図８はホワイトバランスの調整を行うときの液晶パネルに表示される画像を示す図である。なお、液晶テレビＡの液晶パネル３で表示する画像の調整は、ユーザによるリモートコントローラ７の操作によって行われる。
【００４８】
ユーザがリモートコントローラ７を操作し、制御部９がリモートコントローラ受信部８から画質調整要求の操作入力を受信すると（ステップＳ１１）、ホワイトバランス調整が開始される。制御部９は画像処理部４にユーザメニュー表示Ｍｎ１の画像データを画像処理部４に送信し、画像処理部４はユーザメニュー表示Ｍｎ１を画像信号として液晶パネル３に送る。これにより、液晶パネル３にユーザメニュー表示Ｍｎ１が表示される（ステップＳ１２）。
【００４９】
ここでユーザメニュー表示Ｍｎ１について説明する。図６に示すように、ユーザメニュー表示Ｍｎ１は、第１表示部１０１と、第１選択部１０２と、第２選択部１０３とを備えている。第１表示部１０１は、現在表示しているメニュー画像Ｍｎ１が何を操作するためのメニュー画像であるかを表示している。ここでは、画像を調整するためのメニューであるため、第１表示部１０１には、画像を示す「Ｐｉｃｔｕｒｅ」を示している。
【００５０】
第１選択部１０２には、画像の調整を行うときに変更する項目が上下に並んで配置されている。ここでは、「Ｐｉｃｔｕｒｅ  Ｍｏｄｅ」、「Ｂａｃｋｌｉｇｈｔ」、「Ｃｏｎｔｒａｓｔ」、「Ｃｏｌｏｒ」、「Ｓｈａｒｐｎｅｓｓ」・・・「Ｗｈｉｔｅ  Ｂｌａｎｃｅ」等の項目が挙げられている。「Ｐｉｃｔｕｒｅ  Ｍｏｄｅ」は、表示画像の種類（映画、スポーツ、ニュース等）に合わせて又は抽象的な表現（明るい、暗い、鮮明）に関連付けられた調整設定（ＬＵＴ）を選択するための項目である。「Ｂａｃｋｌｉｇｈｔ」はバックライトの輝度を調整する項目である。「Ｃｏｎｔｒａｓｔ」はコントラストの調整を行う項目である。「Ｃｏｌｏｒ」は色の調整を行う項目である。「Ｓｈａｒｐｎｅｓｓ」は画像をくっきり見せるか、ぼやけさせてみせるかの調整を行う項目である。「Ｗｈｉｔｅ  Ｂｌａｎｃｅ」はホワイトバランスの調整を行う項目である。
【００５１】
そして、これらの項目を選択すると、さらに詳細な項目を選択する第２選択部１０３を表示するようになっている。図６に示すユーザメニュー表示Ｍｎ１では、「Ｗｈｉｔｅ  Ｂｌａｎｃｅ」が選択されており、第２選択部１０３として「Ｗｈｉｔｅ  Ｂｌａｎｃｅ」の詳細項目である、「初期設定」、「カスタム」、「リセット」を表示している。なお、第２選択部１０３は、第１選択部１０２の項目ごとに異なる表示が行われるものである。
【００５２】
ユーザメニュー表示Ｍｎ１では、第１選択部１０２及び第２選択部１０３の各項目を選択するための、カーソルＣｒの表示が行われる。カーソルＣｒは、リモートコントローラ７の操作に合わせて、項目を移動する。なお、図６のユーザメニュー表示Ｍｎ１では、項目を囲む長方形状の線描のカーソルＣｒを用いている。
【００５３】
ユーザメニュー表示Ｍｎ１の第１選択部１０２の項目の中から、「Ｗｈｉｔｅ  Ｂａｌａｎｃｅ」が選択されると（ステップＳ１３）、ユーザメニュー表示Ｍｎ１には、「Ｗｈｉｔｅ  Ｂａｌａｎｃｅ」に関連付けられた第２選択部１０３が表示される（図６参照）。この第２選択項目１０３の項目の中で、「初期設定」が選択されると（ステップＳ１４）、制御部９は記憶部１０から、初期設定の補正データを画像処理部４のＬＵＴ４５Ｒ、４５Ｇ、４５Ｂに送信し、初期設定のＬＵＴを適用する（ステップＳ１５）。なお、初期設定とは、液晶テレビＡに予め備えられている補正データであり、図３の破線に相当するものである。
【００５４】
また、ユーザメニュー表示Ｍｎ１の第２選択部１０３から、「カスタム」が選択されると（ステップＳ１６）、制御部９は調整点数決定用のユーザメニューＭｎ２（図７参照）の画像を記憶部１０より取出し、画像処理部４を介して液晶パネル３で表示させる。そして、ユーザによって、調整点数の決定が行われる。
【００５５】
図７に示すように、メニューＭｎ２は選択項目２０１が備えられており、上ボタン２００２と下ボタン２０３とが備えられている。選択項目２０１は、調整点の個数が表示されており、上ボタン２０２で調整点数が増え、下ボタン２０３で調整点数が減る。上ボタン２０２と下ボタン２０３とを利用して、調整点数を決定する（ステップＳ１７）。なお、調整点数の決定方法として、これに限定されず、例えばテンキー等の数字を入力する入力装置を用いて個数を直接入力する構成であってもよい。調整点の数が多すぎると調整が煩わしくなるため、ここでは、１〜３点としているが、これに限定されるものではない。
【００５６】
調整点数が決定されると、制御部９はホワイトバランス調整用画像Ｍｎ３（図８参照）の画像データを記憶部より取出し、画像処理部４を介して液晶パネル３に表示させる（ステップＳ１８）。
【００５７】
図８に示す、調整用画像Ｍｎ３について説明する。調整用画像Ｍｎ３は、赤色を示す輝度レベルを補正するためのＬＵＴ４５Ｒを示すグラフ３０１と、緑色を示す輝度レベルを補正するためのＬＵＴ４５Ｇを示すグラフ３０２と、青色を示す輝度レベルを補正するためのＬＵＴ４５Ｂを示すグラフ３０３とを並べて表示する。また、調整用画像Ｍｎ３は、ＬＵＴ４５Ｒ、４５Ｇ、４５Ｂの再設定結果を採用する「決定ボタン３０４」と、破棄する「キャンセルボタン３０５」とを備えている。調整用画像Ｍｎ３は、液晶パネル３の下部に配置されて表示される。
【００５８】
また、グラフ３０１、３０２、３０３以外の部分には、任意の画像が表示される。例えば、チューナ１で受信しているテレビ放送の視聴中又は入力部２からの画像データを視聴している場合、液晶パネル３は、チューナ１又は入力部３からの画像データを表示する。また、外部からの信号が入力されていない状態で調整を行う場合、制御部９は、記憶部より調整用の表示画像を取り出し、画像処理部４を介して液晶パネル３に表示させる。なお、外部入力がある場合でも調整用の表示画像に切り替えるようにしてもよい。調整用の表示画像としては、従来よく知られている、ラスタパターン、グレイランプ、グレイスケール等を用いる。ここでは、入力部２から入力される画像データＰｉｃｔ１を表示している。
【００５９】
制御部９は、これらの画像データと重なるように（図８では、画面下部）にグラフ３０１、３０２、３０３の表示を行う。なお、グラフ３０１、３０２、３０３の大きさは、予め決められたものであってもよいし、ユーザが任意に設定できるようにしていてもよい。グラフ３０１、３０２、３０３の大きさとしては、全てのグラフを同時に表示し、さらに、調整点を視認しやすい大きさが好ましい。
【００６０】
調整用画像Ｍｎ３が表示されると、ＬＵＴ４５Ｒ、４５Ｇ、４５Ｂの再設定、すなわち、補正データの再計算を実行する（ステップＳ１９）。ＬＵＴの再設定は、ここでは、ＬＵＴ４５Ｒ、ＬＵＴ４５Ｇ、ＬＵＴ４５Ｂの順番に行われる。
【００６１】
まず、赤色用のＬＵＴ４５Ｒを示すグラフの調整点が選択され、赤色用のＬＵＴ４５Ｒの補正データの再計算が開始される。調整点の調整方法について図３を参照して説明する。なお、調整点の調整には、リモートコントローラ７に備えられた十字キー７１と、決定キー７２（図１参照）とを用いて行われる。十時キー７１は、調整点のｘR軸、ｙR軸に沿う方向の移動の入力を行い、決定キー７２は調整点の調整を終了する入力を行う。
【００６２】
図３では、調整点を２点としたときを示している。まず、調整点の調整を行う場合、補正前値ｘRが小さい調整点側から調整が行われる。なお、図示は省略しているが、カーソルで調整点を示してもよいし、ｘR軸、ｙR軸それぞれに平行で且つ調整点で交差する、いわゆる、クロスラインカーソルで調整点を示してもよい。
【００６３】
調整用画像Ｍｎ３が表示されると、補正前値ｘRが小さい、ここでは、第１調整点Ｐ１が選択される。第１調整点Ｐ１の補正前値ｘ１Rを変更する場合、第１調整点Ｐ１はグラフに沿って移動する。図３において、実線は再計算後の補正データであるので、補正前値ｘ１Rを変更すると、第１補正点Ｐ１が破線上を動くように補正後値ｙ１Rの値も変化する。そして、任意の補正前値ｘ１Rで変更を停止し、その後、補正後値ｙ１Rを変更する。補正後値ｙ１Rを変更する場合、補正前値ｘ１Rはそのままで、ｙ１Rの値のみ変更される。すなわち、補正後値ｙ１Rが変更されることで、第１調整点Ｐ１は破線上から外れる。
【００６４】
そして、第１調整点Ｐ１の調整が完了すると、制御部９は、第１調整点Ｐ１の値を取得し、その値と「式１」より、最小点ｘＭＩＮR〜第１調整点Ｐ１の間の補正データの再計算を行う。第１調整点Ｐ１の調整が完了すると、第２調整点Ｐ２が選択される。第２調整点Ｐ２も第１調整点Ｐ１と同様の操作で、決定される。
【００６５】
第２調整点Ｐ２が決定されると、制御部９は、第１調整点Ｐ１と第２調整点Ｐ２の各値と「式２」より、第１調整点Ｐ１〜第２調整点Ｐ２の補正データの再計算を行う。また同様に、第２調整点Ｐ２〜最大点（ｘＭＡＸR、ｙＭＡＸR）の補正データの再計算を、「式３」又は「式４」を用いて行う。「式３」又は「式４」のいずれを用いるかは、上述のとおりである。
【００６６】
なお、第１調整点Ｐ１及び第２調整点Ｐ２の位置関係は常に一定、つまり、図３において、第１調整点Ｐ１は常に第２調整点Ｐ２よりもｘR軸の原点側となるように調整が行われる。また、第１調整点Ｐ１のｘ１Rは最小点ｘＭＩＮR（＝０）よりも大きく、第２調整点Ｐ２のｘ２Rは最大点ｘＭＡＸR（＝１）よりも小さい。そして、第１調整点Ｐ１及び第２調整点Ｐ２の補正後値ｙRの最小値ｙＭＩＮR（＝０）よりも大きく、最大値（ｙＭＡＸR（＝１）を超えないように設定される。
【００６７】
以上のようにして、赤色を示す輝度レベルを補正するためのＬＵＴ４５Ｒの補正データの再計算を行う。ＬＵＴ４５Ｒの補正データの再計算が終了すると、次に、グラフ３０２、すなわち、緑色用のＬＵＴ４５Ｇの補正データの再計算を行う。そして、ＬＵＴ４５Ｇの補正データの再計算が終了すると、グラフ３０３、すなわち、青色用のＬＵＴ４５Ｂの補正データの再計算を行う。なお、ＬＵＴ４５Ｇ、ＬＵＴ４５Ｂの補正データの再計算は、ＬＵＴ４５Ｒの補正データの再計算と同じであるため、詳細は省略する。
【００６８】
図８に示すように、ユーザは、ＬＵＴ４５Ｒ、４５Ｇ、４５Ｂを見ながら補正データの再計算を行うとき、液晶パネル３に画像を表示しつつ行う。このとき、ＬＵＴ４５Ｒ、４５Ｇ、４５Ｂの変更は瞬時（リアルタイム）に行われるため、補正データの再計算結果は表示している画像にすぐに反映される。そのため、ユーザは、調整点の変更による画像の変化を確認しつつ、調整点の変更を行うことができるため、実際の変化を直感的に認識することができる。
【００６９】
そして、ＬＵＴ４５Ｒ、４５Ｇ、４５Ｂの再設定が完了すると、ＬＵＴ４５Ｒ、４５Ｇ、４５Ｂの再設定結果を「カスタム」のデータとして決定するかどうかの入力を待つ（ステップＳ１１０）。キャンセルボタン３０５を選択し、決定せず破棄する選択がされた場合（ステップＳ１１０でＮｏの場合）、ユーザメニューＭｎ１の表示（ステップＳ１２）に戻る。決定ボタン３０４を選択しＬＵＴの再設定結果を「カスタム」のデータとして決定する選択がされた場合（ステップＳ１１０でＹｅｓの場合）、再計算された補正データをカスタムの補正データに上書きし、カスタムのデータを適用する（ステップＳ１１１）。
【００７０】
ユーザメニュー表示Ｍｎ１の第２選択部１０３から「リセット」が選択されると（ステップＳ１１２）、制御部９は、リセットしてもよいかどうかの表示を行うとともに、ユーザによる可否の入力を検出する（ステップＳ１１３）。リセットしないことが選択されたことを検出した場合（ステップＳ１１３でＮｏの場合）、制御部９は、ユーザメニューＭｎ１の表示（ステップＳ１２に戻る）。リセットすることが選択されたことを検出した場合（ステップＳ１１３でＹｅｓの場合）、制御部９は、現在のカスタム用のＬＵＴに初期値（ここでは、初期設定のＬＵＴの値）を上書きし（ステップＳ１１４）、初期設定のＬＵＴを適用する（ステップＳ１５）。
【００７１】
以上のように、ユーザはＲＧＢそれぞれに対応するＬＵＴの調整を任意の個数の調整点を移動させることで、行うことができる。また、このとき、表示された画面を見ながら行うことができるので、調整によりどのような変化が起こるか確認することができるため、直感的なホワイトバランスの調整が可能である。
【００７２】
（第２実施形態）
本発明にかかる画像表示装置である液晶テレビの他の例について説明する。図９は本発明にかかる画像表示装置の画像データの処理に用いられるＬＵＴのさらに他の例を示す図である。なお、本実施形態で説明する液晶テレビの構成は、ＬＵＴが異なる以外、第１実施形態の液晶テレビＡと同じであり実質上同じ部分には同じ符号を付すとともに、同じ部分の詳細な説明は省略する。
【００７３】
第１実施形態において、液晶テレビＡの画像処理部４のＬＵＴは、ゲインＧａｉｎ２Rが１以下の場合、補正前値と補正後値とが比例の関係となるように、補正データを再計算している。しかしながら、このような補正を行った場合、補正前値ｘRとして最大値ｘＭＡＸRとしても、補正後値ｙRは最大値ｙＭＡＸRよりも低くなる。つまり、ゲインＧａｉｎ２Rが１以下の場合、高階調側の輝度が低くなってしまう。
【００７４】
そこで、本実施形態では、ゲインＧａｉｎ２Rが１以下のときの高階調部の輝度を高めるように補正する。図９に示すＬＵＴ４５Ｒにおいて、ゲインＧａｉｎ２Rが１よりも大きい場合は、図３に示すＬＵＴ４５Ｒと同じであるので詳細な説明は省略する。
【００７５】
図９に示すＬＵＴ４５Ｒでは、ゲインＧａｉｎ２Rが１以下のときも、「式４」を用いて補正データを再計算している。すなわち、補正前値ｘRがｘＭＩＮRからＸ１Rまでの間は「式１」で再計算し、第１調整点Ｐ１と第２調整点Ｐ２との間は「式２」で再計算している。そして、第２調整点Ｐ２よりも高階調側の再計算はゲインＧａｉｎ２Rの値にかかわらず、「式４」で計算している。このような補正値とすることで、ゲインＧａｉｎ２Rの値にかかわらず、補正前値ｘRの最大値ｘＭＡＸRのときの補正後値ｙRは最大値ｙＭＡＸRとなる。
【００７６】
このＬＵＴを用いることで、ゲインＧａｉｎ２Rが１以下のとき、補正データが急激に変化するため、高階調部で色温度が急激に変化するが、ホワイトバランスの調整による輝度の低下を抑制することができる。
【００７７】
（第３実施形態）
本発明にかかる画像表示装置である液晶テレビの他の例について説明する。図１０は本発明にかかる画像表示装置の画像データの処理に用いられるＬＵＴのさらに他の例を示す図である。なお、本実施形態で説明する液晶テレビの構成は、ＬＵＴが異なる以外、第１実施形態の液晶テレビＡと同じであり実質上同じ部分には同じ符号を付すとともに、同じ部分の詳細な説明は省略する。
【００７８】
第１実施形態において、液晶テレビＡの画像処理部４のＬＵＴは、高階調側（補正前値の最大値ｘＭＡＸR）側が、補正後値の最大値ｙＭＡＸRを越えないように、補正データを再計算していた。つまり、高階調部の出力が飽和しないように補正データの再計算をしている。
【００７９】
一方、本実施形態では、高階調部の出力の飽和を許容するような計算を行う。図１０に示すように、ＬＵＴ４５Ｒの補正データは、第２調整点Ｐ２よりも下の部分では、図３に示すＬＵＴと同じ計算方法で補正データを再計算している。すなわち、補正前値ｘRがｘＭＩＮRからＸ１Rまでの間は「式１」で再計算し、第１調整点Ｐ１と第２調整点Ｐ２との間は「式２」で再計算している。そして、第２調整点Ｐ２よりも高階調側の再計算を「式２」で計算している。
【００８０】
ゲインＧａｉｎ２Rが１よりも大きいとき、第２調整点Ｐ２よりも高階調側の補正データを「式２」で再計算した場合、補正前値ｘRが最大値ｘＭＡＸRに到達する前の点Ｐｎで補正後値の最大値ｙＭＡＸRに到達する。その後、補正前値ｘRが増加しても、補正後値ｙRは最大値ｙＭＡＸR（＝１）としている。また、ゲインＧａｉｎ２Rが１以下のとき、補正後値ｙRは最大値ｙＭＡＸRよりも小さくなるため、補正データはそのまま用いられる。
【００８１】
このＬＵＴを用いることで、高階調部で輝度が飽和してしまうが、一方で、高階調部での色温度を上げやすい。すなわち、図１０に示すＬＵＴを用いることで、高階調部分の輝度の精度が低くなるが、ホワイトバランスの補正精度を高めることが可能である。
【００８２】
（第４実施形態）
本発明にかかる画像表示装置である液晶テレビの他の例について説明する。図１１は本発明にかかる画像表示装置の画像データの処理に用いられるＬＵＴのさらに他の例を示す図である。なお、本実施形態で説明する液晶テレビの構成は、ＬＵＴが異なる以外、第１実施形態の液晶テレビＡと同じであり実質上同じ部分には同じ符号を付すとともに、同じ部分の詳細な説明は省略する。
【００８３】
図１１に示すＬＵＴでは、第２調整点Ｐ２よりも階調が低い部分では、図３等に示すＬＵＴと同じ補正データとなっている。そして、第２調整点Ｐ２よりも階調が高い部分では、ゲインＧａｉｎ２Rが１以下又は１よりも大きいかで変更している。
【００８４】
具体的には、ゲインＧａｉｎ２Rが１よりも大きいとき、「式２」で補正データを再計算する。つまり、図１０に示すＬＵＴと同じ計算方法で補正データの再計算を行う。また、ゲインＧａｉｎ２Rが１以下のとき、「式４」で補正データを再計算する。つまり、図９に示すＬＵＴと同じ計算方法で補正データの再計算を行う。
【００８５】
このＬＵＴを用いることで、ゲインＧａｉｎ２Rが１よりも大きいとき高階調部で輝度が飽和することを許容し、ゲインＧａｉｎ２Rが１以下のとき補正前値ｘRの最大値ｘＭＡＸRのとき、補正後値ｙRは最大値ｙＭＡＸRとなる。ユーザがグラフを見つつ調整を行うとき、第２調整点Ｐ２を破線よりも上に設定したとき、画像処理部４は、ホワイトバランスの調整精度を高めるため高階調部の輝度の飽和を許容し、破線よりも下にした場合、高階調部のホワイトバランス調整時の輝度低下を抑制することが可能である。
【００８６】
（第５実施形態）
本発明にかかる画像表示装置である液晶テレビの他の例について説明する。上述したように、図８〜図１１に示すＬＵＴはそれぞれ、特徴を備えている。本実施形態にかかる液晶テレビは、記憶部１０にこれらのＬＵＴを備えておき、制御部９はユーザの選択によってこれらのモードのうちいずれかを選択するようになっている。
【００８７】
以下の説明では、図８に示すＬＵＴを、ホワイトバランスの調整と輝度とをバランスよく調整するためバランスモードとする。また、図９に示すＬＵＴを、ホワイトバランス調整による輝度低下を抑制する輝度低下抑制モード、図１０に示すＬＵＴを、ホワイトバランス調整の精度の低下を許容しつつ輝度を高める輝度優先モードとする。さらに図１１は、ゲインＧａｉｎ２Rの値にかかわらず輝度を高める高輝度モードとする。
【００８８】
図１２はホワイトバランスの調整を行う手順を示すフローチャートである。なお、図１２に示すフローチャートは、調整点数の決定工程（ステップＳ１７）と、調整用画面表示工程（ステップＳ１８）との間に、調整モード選択工程（ステップＳ１７１）を備えている。これ以外の点は、図５に示すフローチャートと同じであり、以下の説明では、異なる点のみ説明する。
【００８９】
図１２に示すように、ステップＳ１７で調整点数を決定した後、制御部９は、上述した、バランスモード、輝度低下抑制モード、輝度優先モード、高輝度モードのうちから、ユーザが選択した調整モードを検出する（ステップＳ１７１）。これにより、制御部９は、選択されたモードに対応するＬＵＴの補正データの計算方法を設定する。その後、制御部９は、選択されたモードに対応したＬＵＴの表示を液晶パネル３に表示させる（ステップＳ１８）。
【００９０】
このような構成とすることで、ユーザの調整に対する要求に細かく対応することができ、より高度な画像の調整が可能となる。なお、ここでは、調整モードとして４個のモードを設定しているがこれに限定されるものではない。
【００９１】
なお、調整モードを設定し、調整用画面表示を行うとき、選択されたモードの特徴、注意点を表示するようにしてもよい。
【００９２】
（第６実施形態）
本発明にかかる画像表示装置である液晶テレビの他の例について説明する。図１３は本発明にかかる画像表示装置の画像データの処理に用いられるＬＵＴのさらに他の例を示す図である。
【００９３】
上述の各実施形態において、ＬＵＴは補正後値ｙR予め設定された範囲、すなわち、最小値ｙＭＩＮR及び最大値ｙＭＡＸRは固定の値としていた。しかしながら、最小値ｙＭＩＮR又は最大値ｙＭＡＸRの値を調整が可能とすることで、ユーザの好みに対応することができる場合がある。そのため本実施形態では、補正前値ｘRが最小値又は最大値の点を調整点として変更できるものとしている。図１３に示す調整方法では、補正前値ｘRが最大値ｘＭＡＸRとなる点を調整点Ｐｍａｘとして調整可能としている。
【００９４】
また、ＬＵＴの補正データの再計算方法は、図９に示す輝度低下抑制モードとしている。ＬＵＴの補正データの再計算を行うとき、第１調整点Ｐ１及び第２調整点Ｐ２の調整の前又は後に、調整点Ｐｍａｘの調整を行う。図９に示すように、調整点Ｐｍａｘは他の調整点とは異なり、ｙR方向のみ調整するようになっている。そして、調整点Ｐｍａｘの補正後値ｙRが最大値ｙＭＡＸRを越える方向、図１３中上方向に移動させる場合がある。この場合、調整点Ｐｍａｘは仮想の点であり、補正データの演算値を計算する時のみ用いられる値となる。
【００９５】
図１３に示すＬＵＴでは、第２調整点Ｐ２から調整点Ｐｍａｘまでの間で「式４」を用いて補正データを再計算している。この場合、補正前データｘRが最大値ｘＭＡＸRのとき、Ｐｍａｘとなるので、補正後値ｙRが最大値ｙＭＡＸRを越えてしまう。実質上、補正後値ｙRは最大値ｙＭＡＸRを越えないので、補正前値ｘRが最大値ｘＭＡＸRに到達する前の点Ｐｎで補正後値の最大値ｙＭＡＸRに到達する。その後、補正前値ｘRが増加しても、補正後値ｙRは最大値ｙＭＡＸR（＝１）としている。
【００９６】
また、調整点Ｐｍａｘを低く設定する場合もあり、その場合は、そのまま調整点Ｐｍａｘの補正後値ｙRを最大値ｙＭＡＸRとして補正データの再計算を行う。
【００９７】
なお、このような最大点及び（又は）最小点の調整が可能なホワイトバランス調整について図面を参照して説明する。図１４はホワイトバランスの調整を行う手順を示すフローチャートである。なお、図１４に示すフローチャートは、調整点数の決定工程（ステップＳ１７）と、調整用画面表示工程（ステップＳ１８）との間に、最大値の変更指示を検出する工程（ステップＳ１７２）と、最大値を調整点として調整する工程（ステップＳ１７３）とを備えている。これ以外の点は、図５に示すフローチャートと同じであり、以下の説明では、異なる点のみ説明する。
【００９８】
調整点数を決定（ステップＳ１７）した後、制御部９はユーザよりＬＵＴの補正後値（出力）の最大値の変更の指示があったかどうか確認する（ステップＳ１７２）。最大値の変更の指示がない場合（ステップＳ１７２でＮｏの場合）、制御部９は調整用画面表示を行う（ステップＳ１８）。一方、最大値の変更の指示があった場合（ステップＳ１７２でＹｅｓの場合）、制御部９は調整点として最大値を含む点を追加し（ステップＳ１７３）、調整用画面表示工程（ステップＳ１８）に進む。
【００９９】
以上のように、ＬＵＴの最大点及び（又は）最小点を調整点として調整することで、従来設定できなかったような、補正データを得ることができる。これにより、ユーザの要求により細かく対応することが可能である。
【０１００】
なお、上述のＬＵＴでは、最大値側の調整点を調整しているものについて説明しているが、最小値側に調整点を設け、その調整点を変更するようにしてもよい。この場合、補正データの再計算に用いる式は、「式１」ではなく、別途補完の式が与えられる。
【０１０１】
以上示した各実施形態において、補正データの再計算として、調整点、最小点、最大点の間を直線（線形）で補完するものとしているが、これに限定されるものではない。線形外の補完の方法を利用してもよい。
【０１０２】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【０１０３】
本発明は、液晶表示パネル等の表示部を備えた表示部に画像を表示する画像表示装置の表示画像を調整する調整機構として利用することが可能である。
【符号の説明】
【０１０４】
Ａ  液晶テレビ（画像表示装置）
１  チューナ
２  入力部
３  液晶パネル（画像表示部）
４  画像処理部
５  スピーカ
６  音声処理部
７  リモートコントローラ
７１  十字キー
７２  決定キー
８  リモートコントローラ受信部
９  制御部
１０  記憶部
【図１】
2014222841.tif 000003
【図２】
2014222841.tif 000004
【図３】
2014222841.tif 000005
【図４】
2014222841.tif 000006
【図５】
2014222841.tif 000007
【図６】
2014222841.tif 000008
【図７】
2014222841.tif 000009
【図８】
2014222841.tif 000010
【図９】
2014222841.tif 000011
【図１０】
2014222841.tif 000012
【図１１】
2014222841.tif 000013
【図１２】
2014222841.tif 000014
【図１３】
2014222841.tif 000015
【図１４】
2014222841.tif 000016